(57)【特許請求の範囲】
【請求項１】
装置の座標および前記装置間のリンクを記憶している記憶部と、
警報を取得したとき、前記記憶部を参照し、前記警報に含まれる装置の情報を用いて、前記警報の座標位置を決定する座標計算部と、
地図上に定められた演算エリアに対し、前記演算エリア内に存在する前記警報から、障害の大きさ、前記装置への対処の緊急度、障害によって生じているサービスへの影響の大きさのいずれかまたは組み合わせに比例する当該演算エリアの障害重要度を演算する重要度解析部と、
前記警報の存在する演算エリアごとに、前記演算エリアと前記障害重要度の最も大きい演算エリアとの間の距離、前記演算エリアと保守拠点との間の距離および前記演算エリアの障害重要度を用いて、優先度を演算する優先度解析部と、
前記優先度の大きさに基づいて、前記警報の存在する演算エリアを確認する障害確認順序を決定する確認順序解析部と、
を備えることを特徴とする監視装置。
【請求項２】
前記優先度解析部は、前記警報の存在する演算エリアごとに、前記演算エリアと前記障害重要度の最も大きい演算エリアとの間の距離に反比例する第１の値を演算し、前記演算エリアと保守拠点との間の距離に反比例する第２の値を演算し、前記第１の値、前記第２の値、前記演算エリアの障害重要度それぞれに重み係数を積算した後、その積算値を加算することによって前記優先度を演算する
ことを特徴とする請求項１に記載の監視装置。
【請求項３】
前記確認順序解析部は、前記障害重要度の最も大きい演算エリアを障害確認順序の１番目として決定し、前記優先度の最も大きい演算エリアを障害確認順序の２番目として決定する
ことを特徴とする請求項１に記載の監視装置。
【請求項４】
前記優先度解析部は、前記障害確認順序が決定された演算エリア以外で前記警報の存在する演算エリアごとに、前記演算エリアと前記障害確認順序のｎ番目（ｎ≧２）として決定された演算エリアとの間の距離に反比例する第３の値を演算し、前記演算エリアと保守拠点との間の距離に反比例する第２の値を演算し、前記第３の値、前記第２の値、前記演算エリアの障害重要度それぞれに重み係数を積算した後、その積算値を加算することによって前記優先度を演算する優先度演算処理を実行し、
前記確認順序解析部は、前記優先度演算処理によって演算された前記優先度の中で前記優先度の最も大きい演算エリアを障害確認順序の（ｎ＋１）番目として決定する
ことを特徴とする請求項１に記載の監視装置。
【請求項５】
前記監視装置は、前記障害重要度、前記優先度、前記障害確認順序のいずれかまたは組み合わせに応じて表示画面を生成し、前記生成した表示画面を表示装置に表示することを特徴とする請求項１に記載の監視装置。
【請求項６】
装置の座標および前記装置間のリンクを記憶している記憶部と、
警報を取得したとき、前記記憶部を参照し、前記警報に含まれる装置の情報を用いて、前記警報の座標位置を決定する座標計算部と、
地図上に定められた演算エリアに対し、前記演算エリア内に存在する前記警報から、障害の大きさ、前記装置への対処の緊急度、障害によって生じているサービスへの影響の大きさのいずれかまたは組み合わせに比例する当該演算エリアの障害重要度を演算する重要度解析部と、
前記装置における通過フロー情報とトラフィック量とを取得する流量情報解析部と、
前記警報に係る障害に対してユーザから受け付けたユーザ申告数を取得する入出力部と、
を備え、
前記記憶部は、さらに、前記装置間の接続情報、前記装置に収容されているユーザ数、末端装置からのホップ数を示す前記装置の階層数、前記装置に収容されている回線および運用系とバックアップ系の両系、を記憶し、
前記重要度解析部は、前記警報の存在する演算エリアごとに、前記演算エリア内の前記警報の数である警報発出数、前記演算エリア内で重要と判定された前記警報の数である重要警報発生数、前記演算エリア内で最も長時間発生している前記警報の発生時間である警 報継続時間、前記演算エリア内で前記警報を発生している装置が収容する前記ユーザ数、前記演算エリア内で前記警報を発生している装置の中で最高の階層数である警報発生最高階層数、前記演算エリア内で前記警報の発生している装置に収容されている前記回線の中で重要と判定された重要回線設定数、前記演算エリア内で前記両系とも切断した数である両系断数、前記演算エリア内で前記警報の発生している装置の所定の単位時間当たりのトラフィック変化量が所定の閾値を上回ったまたは別の所定の閾値を下回ったと判定した回数を示すトラフィック急増減数、前記演算エリア内の前記ユーザ申告数、前記装置間の接続情報を参照して前記演算エリア内の警報に係る障害が当該演算エリア外の警報の原因となっていると判定された警報数である警報相関数を、それぞれ演算して、その演算結果のいずれかまたはそれらの組み合わせを用いて、前記演算エリアの障害重要度を演算する
ことを特徴とする監視装置。
【発明の詳細な説明】
【技術分野】
【０００１】
本発明は、ネットワークの状況を画面表示する技術に関する。
【背景技術】
【０００２】
通信事業者のネットワークには、転送装置や制御装置等様々な装置が用いられている。ネットワーク構成を表示する場合、その方法の一つに、装置の地理的な位置情報を用いて、地図上の対応箇所に装置（例えば、図１に示す下位サービス装置１０１，１０２，１０３、転送装置１２１，１２２、制御装置１４１、上位サービス装置１６１）を描画する方法がある（図１、非特許文献１）。この方法は、装置の位置や、装置がカバーする地理的な範囲を認識しやすくなる利点がある。
【０００３】
ネットワーク構成を表示する他の方法には、地理的な情報を全く考慮せずに、装置（図２では四角形表示）間の論理的な接続関係（論理トポロジ）のみに基づいた表示方法（図２、非特許文献２）がある。さらに、その派生形として同じ機能と役割のものを同じ階層に配置する方法がある（図３、非特許文献１）。図３では、階層の上下関係は、ネットワークの末端に位置する装置（下位サービス装置１０１，１０２，１０３）の階層（破線で囲んだ部分）を最下位として、末端の装置から経由する装置の数（ホップ数）を基に定義する。また、同じ機能と役割を備える装置群を「階梯」として定義する。図３の方法では、装置の役割やネットワークの論理構成を認識しやすい利点がある。
【０００４】
図１〜３に示す画面表示方法においては、ネットワーク全体表示のほかに、ネットワークの一部のみを切り出して表示することが可能である。切り出し方としては、例えば、一部の装置周辺の構成のみを切り出す方法、一部地域の装置構成のみを切り出す方法、ある特定の機能を持つ装置群と階梯のみを切り出す方法、ある特定のサービスに関する階梯のみを切り出す方法、がある。
【０００５】
例えば、特定の制御系機能を持つ装置群とサービスに係る階梯（サービスプレーン）のみを切り出す例を、図４Ｂに示す。図４Ｂは、図４Ａの構成から制御系機能を持つ制御装置１４１とサービス装置（下位サービス装置１０１，１０２，１０３、上位サービス装置１６１）のみを切り出して表示した場合を表している。制御装置１４１と下位サービス装置１０１，１０２，１０３および上位サービス装置１６１との間には、物理的には転送装置１２１，１２２や転送リンクが介在する。そこで、この表示方法においては、制御系装置相互の接続状況を明確にするために、制御系装置間に介在する転送装置や転送リンク等物理的な接続状況を抽象化して制御リンク１５１（図４Ｂでは破線）として表示する。これにより装置間の制御系機能の動作状況を認識しやすくする利点がある。
【０００６】
また、ある特定のサービスに係る階梯のみ切り出す例として、ユーザが相互に通信を行う場合に、ユーザが接続する装置（サービスプレーン）が属する階梯のみ切り出して表示する場合を、図５Ｂに示す。図５Ｂは、図５Ａの構成から上位サービス装置１６１と下位サービス装置１０１，１０２，１０３のみを切り出して表示した場合を表している。上位サービス装置１６１と下位サービス装置１０１，１０２，１０３との間には転送装置や転送リンクが介在し、サービスを実現するために制御プレーンに属する制御系装置が協調動作している。そこで、この表示方法においては、これら装置やリンクの動作状況を抽象化してサービスリンク１５２（図５Ｂでは破線）として表示する。これにより装置間のサービス提供状況を認識しやすくする利点がある。
【０００７】
前記した図１〜図５に示す表示画面は、２次元表示の場合であるが、さらに３次元表示や、時間軸を加味した表示画面についても開示されている（非特許文献１）。
【０００８】
図６は、空間軸（Ｘ，Ｙ，Ｚ軸の３次元）を用いた３次元表示画面を表している。３次元のうちＸＹ平面には地図を重畳し、実世界で装置が配置されている箇所の緯度経度等の地理情報を用いて、ＸＹ平面に重畳した地図上の対応するポイントに装置を配置する。さらに、Ｚ軸（高さ)を利用して階梯を表現する。ある高さのＸＹ平面に同じ階梯（同じ属性）の装置を配置し、異なる階梯の装置は異なる高さに配置する。これら配置した装置について、実際のネットワーク接続情報を基に、接続関係にある装置を線（リンク）で結ぶ。また、末端階梯より上の階梯の装置が存在する箇所（例えば、下位サービス装置１０２、転送装置１２２および上位サービス装置１６１）は、これらの装置群を重要ビル１５５として立方体で囲む。このようにすることで、閲覧者は、各装置の階梯を視認しやすくなる。さらに、複数の装置で、現用系・待機系（以降、運用系・バックアップ系とも称すこともある。）を組む装置については、画面上において、これら装置群を線で囲む等してグループを明示する。例えば、図６では、同じグループの装置群を楕円１５４で囲む。これにより、現用系・待機系を組む装置群を、閲覧者が画面上で認識しやすくなる。よって、ある装置の障害発生時における、サービスの影響度を、閲覧者が画面上で推測しやすくなる。
【０００９】
この３次元画面表示方法では、視点（図７Ａの第１の視点、第２の視点）の位置や向きを自由に設定して、任意の装置およびリンクの状況にフォーカスしたネットワークの状況を確認することができる。すなわち、視点は、カメラに相当している。
例えば、図７Ｂは、図７Ａの第１の視点から見た表示画面例であり、装置およびリンクを、ＸＹ平面に投影した平面図を表している。また、図７Ｃは、図７Ａの第２の視点から見た表示画面例であり、装置およびリンクを、ＹＺ平面に投影した立面図を表している。
【００１０】
さらに、画面の閲覧者が選択した過去のある時刻から現在までのネットワークの障害の状況の変化を連続的に表示するような画面表示についても開示されている（非特許文献１）。
例えば、最初にネットワークの転送装置１２１で障害が発生し（図８Ａ）、次いで、転送装置１２２で障害が発生（図８Ｂ）したような場合、閲覧者により表示画面上の時間軸バー１５９等で選択された過去のある時刻から次の時刻までのネットワークの状況を示すことができる。これにより、閲覧者が、ネットワークのどの装置が障害の起因となっており、警報の初発箇所となっているか、および警報や障害の発生状況について、表示画面上で順を追って確認しやすくなる。
【先行技術文献】
【非特許文献】
【００１１】
【非特許文献１】立石直規、他３名、「大規模ネットワークの情報可視化方式に関する検討」、電子情報通信学会技術研究報告、社団法人電子情報通信学会、巻112号、492(ICM2012 59-80)、pp.89-94、(2013年3月）
【非特許文献２】ITU-T Z.352, Z.361,Z.371, Z.372、[online]、[平成２６年２月６日検索]、インターネット<URL: http://www.itu.int/ITU-T/recommendations/index.aspx?ser=Z［Z.352,Z.361,Z371,Z.372］>
【発明の概要】
【発明が解決しようとする課題】
【００１２】
前記した画面表示方法は、複数階梯によって構成されるネットワークの情報や警報が一元的に表示され、閲覧者にとって障害の発生ポイント、原因箇所、階梯の把握を容易にすることはできる。
しかしながら、障害発生時に前記の表示画面を使用した場合、下記のような問題がある。
問題（１）警報の色や大きさのみで障害の発生を閲覧者に伝えているため、障害における重要回線の有無や障害時間長期化の有無等の、障害によるサービスへの影響を表すことができない。
問題（２）障害が複数箇所で同時発生した場合、障害の確認順序を示すことができない。例えば、従来は、閲覧者が、自らの経験に基づいて障害の確認順序を決定していたため、確認順序が人によって異なっていた。
問題（３）視点の位置や向きが閲覧者の手動操作によって決められていた。そのため、異なるスキルや考え方の閲覧者達が共通の表示画面を大画面テレビやウォールディスプレイに表示して検討する場合、表示すべき画面の優先順序が定まらないため、画面の切り替えが困難となる場合がある。
【００１３】
そこで、本発明は、前記した問題を解決し、障害発生地点の重要度や、複数の障害が発生した場合の障害確認順序に基づいて、表示画面を生成することによって、閲覧者が障害の発生地点やサービスへの影響等を把握しやすくする監視装置を提供することを課題とする。
【課題を解決するための手段】
【００１４】
前記した課題を解決するため、本発明の監視装置は、装置の座標および前記装置間のリンクを記憶している記憶部と、警報を取得したとき、前記記憶部を参照し、前記警報に含まれる装置の情報を用いて、前記警報の座標位置を決定する座標計算部と、地図上に定められた演算エリアに対し、前記演算エリア内に存在する前記警報から、障害の大きさ、前記装置への対処の緊急度、障害によって生じているサービスへの影響の大きさのいずれかまたは組み合わせに比例する当該演算エリアの障害重要度を演算する重要度解析部と、前記警報の存在する演算エリアごとに、前記演算エリアと前記障害重要度の最も大きい演算エリアとの間の距離、前記演算エリアと保守拠点との間の距離および前記演算エリアの障害重要度を用いて、優先度を演算する優先度解析部と、前記優先度の大きさに基づいて、前記警報の存在する演算エリアを確認する障害確認順序を決定する確認順序解析部と、を備えることを特徴とする。
【００１５】
このような構成によれば、監視装置は、障害発生地点の重要度（障害重要度）を演算することができる。したがって、監視装置は、その重要度に基づいた表示画面を生成できるようになるので、閲覧者が障害の発生地点やサービスへの影響等を把握しやすくすることができる。
また、監視装置は、障害を確認する順序を決定することができる。したがって、監視装置は、その決定した順序に基づいて表示画面を生成できるようになるので、閲覧者が障害の発生地点やサービスへの影響等を把握しやすくすることができる。
【００１８】
前記監視装置は、前記優先度解析部が、前記警報の存在する演算エリアごとに、前記演算エリアと前記障害重要度の最も大きい演算エリアとの間の距離に反比例する第１の値を演算し、前記演算エリアと保守拠点との間の距離に反比例する第２の値を演算し、前記第１の値、前記第２の値、前記演算エリアの障害重要度それぞれに重み係数を積算した後、その積算値を加算することによって前記優先度を演算することを特徴とする。
【００１９】
このような構成によれば、監視装置は、警報の存在する演算エリアごとに、その演算エリアと障害重要度の最も大きな演算エリアとの間の距離に反比例する値、その演算エリアと保守拠点の存在する演算エリアとの間の距離に反比例する値、その演算エリアの障害重要度を演算することによって、定量的に、表示画面の優先度を演算することができる。したがって、監視装置は、優先度に基づいた表示画面を生成できるようになるので、閲覧者が障害の発生地点やサービスへの影響等を把握しやすくすることができる。
【００２０】
前記監視装置は、前記確認順序解析部が、前記障害重要度の最も大きい演算エリアを障害確認順序の１番目として決定し、前記優先度の最も大きい演算エリアを障害確認順序の２番目として決定することを特徴とする。
【００２１】
前記監視装置は、前記優先度解析部が、前記障害確認順序が決定された演算エリア以外で前記警報の存在する演算エリアごとに、前記演算エリアと前記障害確認順序のｎ番目（ｎ≧２）として決定された演算エリアとの間の距離に反比例する第３の値を演算し、前記演算エリアと保守拠点との間の距離に反比例する第２の値を演算し、前記第３の値、前記第２の値、前記演算エリアの障害重要度それぞれに重み係数を積算した後、その積算値を加算することによって前記優先度を演算する優先度演算処理を実行し、前記確認順序解析部が、前記優先度演算処理によって演算された前記優先度の中で前記優先度の最も大きい演算エリアを障害確認順序の（ｎ＋１）番目として決定することを特徴とする。
【００２２】
このような構成によれば、監視装置は、障害重要度および優先度を用いて、障害確認順序を決定することができる。したがって、監視装置は、障害確認順序に基づいて表示画面を閲覧者に示すことができるようになるので、閲覧者が障害の発生地点やサービスへの影響等を把握しやすくすることができる。
【００２３】
本発明の監視装置は、装置の座標および前記装置間のリンクを記憶している記憶部と、警報を取得したとき、前記記憶部を参照し、前記警報に含まれる装置の情報を用いて、前記警報の座標位置を決定する座標計算部と、地図上に定められた演算エリアに対し、前記演算エリア内に存在する前記警報から、障害の大きさ、前記装置への対処の緊急度、障害によって生じているサービスへの影響の大きさのいずれかまたは組み合わせに比例する当該演算エリアの障害重要度を演算する重要度解析部と、前記装置における通過フロー情報とトラフィック量とを取得する流量情報解析部と、前記警報に係る障害に対してユーザから受け付けたユーザ申告数を取得する入出力部と、を備え、前記記憶部は、さらに、前記装置間の接続情報、前記装置に収容されているユーザ数、末端装置からのホップ数を示す前記装置の階層数、前記装置に収容されている回線および運用系とバックアップ系の両系、を記憶し、前記重要度解析部は、前記警報の存在する演算エリアごとに、前記演算エリア内の前記警報の数である警報発出数、前記演算エリア内で重要と判定された前記警報の数である重要警報発生数、前記演算エリア内で最も長時間発生している前記警報の発生時間である警 報継続時間、前記演算エリア内で前記警報を発生している装置が収容する前記ユーザ数、前記演算エリア内で前記警報を発生している装置の中で最高の階層数である警報発生最高階層数、前記演算エリア内で前記警報の発生している装置に収容されている前記回線の中で重要と判定された重要回線設定数、前記演算エリア内で前記両系とも切断した数である両系断数、前記演算エリア内で前記警報の発生している装置の所定の単位時間当たりのトラフィック変化量が所定の閾値を上回ったまたは別の所定の閾値を下回ったと判定した回数を示すトラフィック急増減数、前記演算エリア内の前記ユーザ申告数、前記装置間の接続情報を参照して前記演算エリア内の警報に係る障害が当該演算エリア外の警報の原因となっていると判定された警報数である警報相関数を、それぞれ演算して、その演算結果のいずれかまたはそれらの組み合わせを用いて、前記演算エリアの障害重要度を演算することを特徴とする。
【００２４】
このような構成によれば、監視装置は、障害発生地点の重要度（障害重要度）を演算することができる。したがって、監視装置は、その重要度に基づいた表示画面を生成できるようになるので、閲覧者が障害の発生地点やサービスへの影響等を把握しやすくすることができる。
また、監視装置は、警報発出数、重要警報発生数、警報継続時間、ユーザ数、警報発生最高階層数、重要回線設定数、両系断数、トラフィック急増減数、ユーザ申告数、警報相関数のいずれかまたは組み合わせを用いて、障害重要度を演算することができる。したがって、監視装置は、その障害重要度に基づいた表示画面を生成できるようになるので、閲覧者が障害の発生地点やサービスへの影響等を把握しやすくすることができる。
【００２５】
前記監視装置は、前記障害重要度、前記優先度、前記障害確認順序のいずれかまたは組み合わせに応じて表示画面を生成し、前記生成した表示画面を表示装置に表示することを特徴とする。
【００２６】
このような構成によれば、監視装置は、障害重要度、優先度、障害確認順序のいずれかまたは組み合わせに応じて表示画面を生成するので、閲覧者が障害の発生地点やサービスへの影響等を把握しやすくなる。
【発明の効果】
【００２７】
本発明によれば、障害発生地点の重要度や、複数の障害が発生した場合の障害確認順序に基づいて、表示画面を生成するので、閲覧者が障害の発生地点やサービスへの影響等を把握しやすくなる。
【図面の簡単な説明】
【００２８】
【図１】ネットワークの状況を地理的な配置に基づき表示した例を示す図である。
【図２】ネットワークの状況を論理トポロジに基づき表示した例を示す図である。
【図３】ネットワークの各階梯の接続状況を一括表示した例を示す図である。
【図４Ａ】図３に示したネットワークの各階梯の接続状況の例を示す図である。
【図４Ｂ】図４Ａに対して、制御系装置間に介在する転送装置、転送リンク等物理的な接続状況を制御リンクに抽象化して表示した例を示す図である。
【図５Ａ】図３に示したネットワークの各階梯の接続状況の例を示す図である。
【図５Ｂ】図５Ａに対して、サービス系装置間に介在する転送装置、制御装置等の構成をサービスリンクに抽象化して表示した例を示す図である。
【図６】３次元表示した例を示す図である。
【図７Ａ】視点の位置および向きを設定した場合の表示画面例を示す図である。
【図７Ｂ】図７Ａに示す第１の視点から見た表示画面例を示す図である。
【図７Ｃ】図７Ａに示す第２の視点から見た表示画面例を示す図である。
【図８Ａ】時間軸バーによって選択された過去の状況表示の画面例を示した図である。
【図８Ｂ】時間軸バーによって選択された次の時刻の状況表示の画面例を示した図である。
【図９】本実施形態における、障害重要度および障害確認順序の演算に用いる演算エリアの決め方の一例を示す図である。
【図１０】装置警報情報、装置情報および設定情報の一例を示す図である。
【図１１】トラフィック量急増減情報、演算エリア重要度情報および障害確認順序情報の一例を示す図である。
【図１２】本実施形態の監視装置の機能例を示す図である。
【図１３】装置属性情報、装置間接続情報および装置配置設定情報の一例を示す図である。
【図１４】監視装置の処理フロー例を示す図である。
【図１５Ａ】カメラ視点を自動変更する場合の俯瞰表示モードの一例を示す図である。
【図１５Ｂ】カメラ視点を自動変更する場合の接近モードの一例を示す図である。
【図１５Ｃ】カメラ視点を自動変更する場合の巡回モードの一例を示す図である。
【図１６】カメラ視点を自動変更する場合の注意喚起モードの一例を示す図である。
【発明を実施するための形態】
【００２９】
本発明を実施するための形態（以降、「本実施形態」と称す。）について、適宜図面を参照しながら詳細に説明する。
【００３０】
はじめに、発明が解決しようとする課題において説明した問題（１）〜（３）を解決するために、本実施形態における監視装置によって実行される障害重要度および障害確認順序の演算処理の概要について、図９、図１０、図１１を用いて説明する。図９は、本実施形態における、障害重要度および障害確認順序の演算に用いる演算エリアの決め方の一例を表している。図１０は、障害重要度および障害確認順序の演算処理に用いられる、警報情報、装置情報および設定情報の一例を表している。図１１は、障害重要度および障害確認順序の演算処理に用いられる、トラフィック量急増減情報、演算エリア重要度情報および障害確認順序情報の一例を表している。なお、図１０および図１１に示した一例は、警報の存在する演算エリアの一例を表しているものとする。
【００３１】
（障害重要度の演算処理）
障害重要度を演算するためには、まず演算エリアを決める必要がある。例えば、図９に示すように、地図の表示された画面を縦線および横線で示すグリッド９１（図９では破線）で分割する。そして、グリッド９１の縦線と横線とで囲まれたエリアを演算エリア９２（図９では矩形）とする。グリッド９１の位置およびグリッド９１間の間隔は、図１０の設定情報のグリッド始点設定情報およびグリッド間隔設定情報に基づいて決められる。なお、図１０に例示したグリッド間隔設定情報は、距離を「１」としているが、整数に限られることはなく、１未満の小数点で表しても構わない。また、図９では、見やすさのために警報の中で、重要情報を黒丸印で表し、その他の警報を三角印で表しているが、図８Ａのように、装置と併せて警報を表示しても構わない。
【００３２】
障害重要度は、後記する重要度解析部２２６（図１２参照）によって、警報情報を用いて算出される。
警報情報としては、警報発出数、重要警報発生数、警報継続時間、ユーザ数、警報発生最高階層数、重要回線設定数、両系断数、トラフィック急増減数、ユーザ申告数、警報相関数等が挙げられる。このような警報情報によって、閲覧者は、障害の大きさ、該当装置および設備への対処の緊急度、障害によって生じているサービスへの影響の大きさのいずれかを把握することができる。
【００３３】
警報発出数は、演算エリア９２において、発出された警報の数である。例えば、図１０の装置警報情報では、警報発出数は４である。
重要警報発生数は、演算エリア９２において、閲覧者によって特に重要と判定された警報の発生数である。例えば、図１０の重要警報設定情報では、重要設定として「非常」が選択され、閲覧者によって特に重要と判定されている。したがって、図１０の装置警報情報の中で、閲覧者によって重要度が「非常」のものだけを重要と判定された場合には、重要警報発生数は２となる。
【００３４】
警報継続時間は、演算エリア９２において、最も長時間発生している警報の継続時間である。例えば、図１０の装置警報情報の中では、警報継続時間は３０である。
ユーザ数は、演算エリアにおいて、警報を発出している装置に収容されているユーザ数である。ユーザ数は、図１０の装置情報の収容ユーザ数の欄に記載されている。
【００３５】
警報発生最高階層数は、演算エリア９２において、警報を発生した装置の中で、全域における末端装置からのホップ数が最も大きなものを表す。上位階層装置で警報が発生するほど大きな値になる。例えば、図１０の装置情報の中では、警報発生最高階層数は１０である。ただし、警報情報の重要度を「非常」の場合に限った場合には、警報発生最高階層数は４である。
重要回線設定数は、演算エリア９２において、閲覧者によって特に重要と判定された回線数である。例えば、図１０の装置情報の中で、警報情報の重要度を「非常」の場合に限った場合には、重要回線設定数は０である。
【００３６】
両系断数は、演算エリア９２において、運用系とバックアップ系の両系が切断した数である。例えば、図１０の装置警報情報では、両系断数は０である。
トラフィック急増減数は、演算エリア９２において、所定の単位時間当たりのトラフィック変化量が所定の閾値を上回ったまたは別の所定の閾値を下回ったと判定された回数である。例えば、図１１のトラフィック量急増減情報のトラフィック変化量は−１００であるが、別の所定の閾値との比較判定において、該当しないと判定された場合には、トラフィック急増減数は０である（図１１の演算エリア重要度情報のトラフィック急増減数の欄参照）。なお、トラフィック急増減数は、装置からトラフィック急増減に係る警報を受信した回数によって集計されても構わない。
【００３７】
ユーザ申告数は、演算エリア９２内の警報に係る障害に対して、ユーザから受け付けた申告数であり、入出力部２４０を介して取得される。例えば、図１１の演算エリア重要度情報のユーザ申告数の欄では、演算エリア識別情報が演算エリア９２の中心座標（ｘ，ｙ）＝（３０，３０）の場合には、ユーザ申告数は１００である。
警報相関数は、演算エリア９２内の警報に係る障害が、当該演算エリア外の警報の原因となっていると判定された警報数である。警報相関数は、装置の接続関係の情報である装置間接続情報（図１３参照）と警報の発生した装置とを参照して、重要度解析部２２６によって算出される。例えば、図１１の演算エリア重要度情報の警報相関数の欄では、演算エリア識別情報が（３０，３０）の場合には、警報相関数は１である。
【００３８】
次に、障害重要度を演算する一例について説明する。
図９に表示した地図を複数の演算エリア９２に分割し、各演算エリア９２を、その演算エリア９２の中心の座標（ｘ，ｙ）で表すものとする。すなわち、演算エリア９２を識別する情報（演算エリア識別情報）を、（ｘ，ｙ）で表す。
また、障害重要度Level（ｘ，ｙ）は、次の式（１）で表される。
【００３９】
Level（ｘ，ｙ）＝α×（警報発出数）＋β×（重要警報発生数）＋γ×（警報継続時間）＋δ×（ユーザ数）＋ε×（警報発生最高階層数）＋ζ×（重要回線設定数）＋η×（両系断数）＋θ×(トラフィック急増減数）＋ι×（ユーザ申告数）＋κ×（警報相関数）    ・・式（１）
ただし、α，β，・・，κの各係数は、目的に応じた値に設定して構わない。
【００４０】
なお、障害重要度Level（ｘ，ｙ）の値は、大きいほど、重要度が高いことを表し、障害の大きさ、該当装置および設備への対処の緊急度、障害によって生じているサービスへの影響の大きさのいずれかまたは組み合わせに比例させることが好ましい。
【００４１】
グリッド９１によって囲まれた演算エリア（ｘ，ｙ）に含まれる装置の情報（装置名）は、装置属性情報の緯度、経度欄（図１３参照）から求められる。そして、図１０に示す装置情報の緯度経度を参照して、各演算エリア（ｘ，ｙ）内の装置名を取得し、当該装置名の装置を用いて、装置情報（図１０参照）に含まれる装置階層数、収容ユーザ数（ユーザ数）および重要回線設定数や、装置警報情報（図１０参照）に含まれる警報継続時間および両系断数や、トラフィック量急増減情報（図１１参照）に含まれるトラフィック変化量等を紐付けることができる。なお、警報発出数および重要警報発生数は、装置警報情報（図１０参照）から求められる。ユーザ申告数は入出力部２４０を介して取得される。警報相関数は、装置間接続情報（図１３参照）と警報の発生した装置とを参照して、重要度解析部２２６によって算出される。
【００４２】
そして、重要度解析部２２６（後記）は、演算エリア（ｘ，ｙ）に紐付けられた警報情報を用いて、障害重要度を演算し、その演算結果を演算エリア重要度情報（図１１参照）として重要度保存部２１５（後記）に記憶する。
【００４３】
（障害確認順序の演算処理）
次に、障害確認順序の演算処理について説明する。
優先度解析部２２７（後記）は、重要度保存部２１５（後記）から取得した障害重要度（図１１参照）を用いて、障害確認の順序の早い方には、大きな値の優先度となるような演算を実行する。その後、確認順序解析部２２８（後記）が優先度に基づいて、演算エリア９２の障害確認順序を決定する。
【００４４】
例えば、図１１に示す障害確認順序情報には、演算エリア（３０，３０）から別の演算エリア（ｘ，ｙ）への優先度を例示している。優先度欄の数値は、その値が大きい方ほど早く確認されることを表している。また、障害確認順序情報（図１１参照）には、各演算エリア（ｘ，ｙ）に対して、演算エリア（３０，３０）からの距離や、保守拠点からの距離等が記憶されている。
【００４５】
障害を確認する順序は、優先度の大きい演算エリア９２からの距離が近い障害や保守拠点からの距離が近い障害等を優先することとする。障害確認順序の演算例を以下に説明する。
【００４６】
まず、算出した障害重要度Level（ｘ，ｙ）の値が最も大きい演算エリア（ｘ１，ｙ１）を障害確認順序の１番目とする。
次に、障害確認順序の２番目を決めるために、警報の存在する演算エリア（ｘ，ｙ）に対して、次の式（２）に示す優先度Priority（ｘ，ｙ）の演算を実行する。
Priority（ｘ，ｙ）＝ρ×１／（演算エリア（ｘ１，ｙ１）と演算エリア（ｘ，ｙ）との距離）＋σ×Level（ｘ，ｙ）＋τ×１／（（保守拠点（ｘ０，ｙ０）と演算エリア（ｘ，ｙ）との距離））      ・・式（２）
ただし、ρ，σ，τの各係数は、目的に応じた値に設定して構わない。
【００４７】
そして、式（２）により算出されたPriority（ｘ，ｙ）の値が最も大きい演算エリア（ｘ２，ｙ２）を障害確認順序の２番目とする。
【００４８】
次に、障害確認順序の３番目を決めるために、障害確認順序が決定された演算エリア９２以外で警報の存在する演算エリア（ｘ，ｙ）に対して、次の式（３）に示す優先度Priority（ｘ，ｙ）の演算を実行する。
Priority（ｘ，ｙ）＝ρ×１／（演算エリア（ｘ２，ｙ２）と演算エリア（ｘ，ｙ）との距離）＋σ×Level（ｘ，ｙ）＋τ×１／（（演算エリア（ｘ０，ｙ０）と演算エリア（ｘ，ｙ）との距離））      ・・式（３）
ただし、ρ，σ，τの各係数は、目的に応じた値に設定して構わない。
【００４９】
そして、式（３）により算出されたPriority（ｘ，ｙ）の値が最も大きい演算エリア（ｘ３，ｙ３）を障害確認順序の３番目とする。
【００５０】
以降、式（３）の演算エリア（ｘ２，ｙ２）を演算エリア（ｘ３，ｙ３）に置き換えて、Priority（ｘ，ｙ）の値が最も大きい演算エリア（ｘ，ｙ）を障害確認順序の４番目とする。つまり、演算エリア（ｘ（ｎ−１），ｙ（ｎ−１））（ｎ≧２）を演算エリア（ｘｎ，ｙｎ）に置き換えて、Priority（ｘ，ｙ）の値を演算し、その演算結果の中で最も大きい演算エリア（ｘ，ｙ）を障害確認順序の（ｎ＋１）番目とする演算を繰り返す。
【００５１】
そして、確認順序解析部２２８（後記）は、優先度の大きい順に、演算エリア（ｘ，ｙ）の障害確認順序を決定する。
【００５２】
（監視装置の構成）
次に、図１２を用いて、監視装置２００の構成を説明する。監視装置２００は、ネットワークの全装置の階梯や接続関係、複数系（現用系・待機系）を組む箇所の情報、各種警報や障害の発生状況を示した三次元表示画面を生成する。この監視装置２００は、ネットワークを構成する各装置（例えば、図８Ａに示す転送装置１２１，１２２、制御装置１４１、上位サービス装置１６１、下位サービス装置１０１〜１０３）と接続されており、これらの装置から、ネットワークに関する警報や通過フローやのその流量（トラフィック量）情報を受信する。また、監視装置２００は、閲覧者から画面表示に関する各種指示入力を受け付けるキーボードやマウス等の入力装置３２０を接続している。また、監視装置２００は、画面表示を行う液晶ディスプレイ等の表示装置３１０を接続している。監視装置２００は、入力装置３２０からの指示入力と、各装置から受信した情報とに基づき、ネットワークの状況を示す三次元表示画面を生成し、表示装置３１０に出力表示する。閲覧者は、この三次元表示画面を見ることでネットワークの状況を確認することができる。
【００５３】
監視装置２００の機能は、記憶部２１０、処理部２２０および入出力部２４０を有する。
記憶部２１０は、ＲＡＭ（Random Access Memory）、ＲＯＭ（Read Only Memory）、ＨＤＤ（Hard Disk Drive）、フラッシュメモリ等の記憶媒体から構成される。記憶部２１０には、ネットワークを構成する各装置の接続関係や、ネットワークに関する警報や通過フローの流量情報等、処理部２２０の表示画面生成時に参照される各種データ等が記憶される。
【００５４】
処理部２２０は、入出力部２４０から入力された指示入力に基づき、記憶部２１０の各種データを参照して、表示画面を生成し、入出力部２４０経由で表示装置３１０に表示する機能を有する。また、処理部２２０は、この監視装置２００が備えるＣＰＵ（Central Processing Unit）によるプログラム実行処理や、専用回路等により実現される。なお、処理部２２０の機能をプログラム実行処理により実現する場合、記憶部２１０には、この処理部２２０の機能を実現するためのプログラムが格納される。
【００５５】
入出力部２４０は、インターネットやＬＡＮ（Local Area Network）等のネットワーク経由で他の装置と通信を行うための通信インタフェースや入出力インタフェースから構成される。入出力部２４０は、入力装置３２０からの各種指示入力を受け付け、処理部２２０へ出力する。また、入出力部２４０は、処理部２２０で生成された表示画面を、表示装置３１０に出力表示する。
【００５６】
記憶部２１０は、装置情報保存部２１１、地理的情報保存部２１２、警報保存部２１３、流量情報保存部２１４、重要度保存部２１５、優先度保存部２１６、確認順序保存部２１７および設定保存部２１８を備える。
【００５７】
装置情報保存部２１１は、さらに装置属性情報保存部２１１１と装置接続関係保存部２１１２とを備える。
装置属性情報保存部２１１１は、装置属性情報（図１３参照）を記憶している。この装置属性情報は、各時刻における、ネットワークの各装置の属性（階梯）と、当該装置の地図上の座標位置（緯度、経度の組み合わせ）と、当該装置に現用系または待機系のペアとなる装置（複数系装置）がある場合のペアとなる装置とを示した情報である。図１３に例示する装置属性情報は、装置番号（装置の識別情報）ごとに、その装置の装置名と、階梯と、階梯の番号（階梯番号）と、経度および緯度と、複数系装置とを関連付けて示している。
【００５８】
図１２に戻って、装置接続関係保存部２１１２は、各時刻における装置間接続情報（図１３参照）を記憶している。この装置間接続情報は、ネットワークにおける各装置の接続関係を示した情報である。図１３に例示する装置間接続情報は、接続番号ごとに、装置の番号（装置番号）と、装置名と、その装置にリンク接続される装置の装置番号と、装置名とを関連付けて示している。また、この装置間接続情報は、図１３に例示するように、物理的な接続情報（接続関係情報１）の他に、制御プレーンにおける接続情報（接続関係情報２）と、サービスプレーンにおける接続情報（接続関係情報３）とを含んでいてよい。
【００５９】
図１２に戻って、地理的情報保存部２１２は、表示する地図の緯度経度情報を記憶している。
【００６０】
警報保存部２１３は、各時刻における、ネットワークの各装置やリンクの警報に係る情報（図１０に示す装置警報情報）を記憶している。この警報に係る情報は、警報解析部２２４（後記）により作成される。
【００６１】
流量情報保存部２１４は、各時刻における、各フローのトラフィック量を記憶している。このトラフィック量は、流量情報解析部２２５（後記）により作成される。
【００６２】
重要度保存部２１５は、重要度解析部２２６（後記）によって作成された、図１１に示す演算エリア重要度情報を記憶している。
【００６３】
優先度保存部２１６は、優先度解析部２２７（後記）によって演算された演算エリア９２ごとの優先度に関する情報を図１１に示す障害確認順序情報に記憶している。
【００６４】
確認順序保存部２１７は、確認順序解析部２２８（後記）によって作成された障害確認順序に関する情報を記憶している。
【００６５】
設定保存部２１８は、各種設定情報（図１０に示す設定情報や図１３に示す装置配置設定情報）を記憶している。設定情報は、例えば図１０の設定情報に示すように、画面表示に関する情報として、グリッド始点設定情報、グリッド間隔設定情報、画面遷移時間情報や、障害重要度および優先度の演算に用いる保守拠点情報、計算係数情報、重要警報設定情報である。また、設定情報は、例えば図１３の装置配置設定情報に示すように、装置の属する階梯ごとに、その階梯の表示階層を示した属性階層設定情報や、表示階層ごとに、その表示階層の高さ座標を示した階層座標設定情報を含む。各装置の高さ座標は、ネットワークの末端に位置する属性の装置ほど低い座標としている。なお、図１３に示す重要ビル情報は、図１２の処理部２２０が、末端階梯以外の装置が配置される箇所に、立方体の重要ビル１５５で高さを示す目印（図６参照）を画面上に表示するときに参照される情報である。
【００６６】
次に、処理部２２０について説明する。処理部２２０は、装置属性情報解析部２２１、装置接続関係解析部２２２、地理的情報解析部２２３、警報解析部２２４、流量情報解析部２２５、重要度解析部２２６、優先度解析部２２７、確認順序解析部２２８、座標計算部２２９、表示用情報生成部２３０および視点決定部２３１を備える。
【００６７】
装置属性情報解析部２２１は、入出力部２４０経由で入力された時刻（表示時刻）に対応する装置属性情報（図１３参照）を装置属性情報保存部２１１１から読み出す。
【００６８】
装置接続関係解析部２２２は、入出力部２４０経由で入力された時刻における装置間接続情報（図１３参照）を装置接続関係保存部２１１２から取得し、２つの装置間の装置間接続情報をつなぎあわせてネットワーク全体の装置間接続構造を求める。
【００６９】
地理的情報解析部２２３は、表示する警報の座標位置に応じて、その座標位置を含む地図データを地理的情報保存部２１２から読み出す。
【００７０】
警報解析部２２４は、警報受信部２４１（後記）経由でネットワークの各装置からの警報を取得し、警報の発生しているリンクや装置と、警報の発生時刻とを対応付けた警報に係る情報を作成し、警報保存部２１３に記憶する。
【００７１】
流量情報解析部２２５は、流量情報受信部２４２（後記）経由でネットワークの各装置からの通過フロー情報とトラフィック量とを受信する。そして、流量情報解析部２２５は、受信した通過フロー情報とトラフィック量とを流量情報保存部２１４に記憶する。
【００７２】
重要度解析部２２６は、ネットワークで発生した各障害に対して演算エリア重要度情報（図１１参照）を作成し、その作成した演算エリア重要度情報を重要度保存部２１５に記憶する。
【００７３】
優先度解析部２２７は、警報保存部２１３から警報に係る情報を取得し、重要度保存部２１５から障害重要度を取得し、ネットワークで発生した各障害に対して演算エリアごとの優先度を演算し、その演算した優先度を優先度保存部２１６に記憶する。
【００７４】
確認順序解析部２２８は、優先度保存部２１６から演算エリアごとの優先度を取得し、当該優先度に基づいて、警報の発生している演算エリア９２を確認する順序を決定し、その決定した順序を障害確認順序として確認順序保存部２１７に記憶する。
【００７５】
座標計算部２２９は、入出力部２４０経由で入力された時刻における各種情報を記憶部２１０から取得し、三次元表示画面における各装置、リンク、警報等の座標位置（座標データ）を決定する。この座標計算部２２９の詳細は後記する。
【００７６】
表示用情報生成部２３０は、座標計算部２２９によって演算された座標データに基づき各装置、各装置間を接続するリンク、各装置およびリンクの警報を重畳して配置した三次元表示画面データを生成し、入出力部２４０経由で表示装置３１０へ出力する。
【００７７】
視点決定部２３１は、入出力部２４０経由で入力された視点（カメラ）の位置や方向（図７Ａに示す第１の視点、第２の視点）を取得し、取得した視点の位置や方向の情報を、表示用情報生成部２３０に出力する。
【００７８】
入出力部２４０は、表示装置３１０、入力装置３２０、ネットワークの各装置との入出力インタフェースを備える。この入出力部２４０は、警報受信部２４１と、流量情報受信部２４２と、表示部２４３と、操作部２４４とを備える。
【００７９】
警報受信部２４１は、ネットワークの各装置から警報を受信し、受信した警報を警報解析部２２４へ出力する。警報には、少なくともその警報を発出した装置名が含まれている。
【００８０】
流量情報受信部２４２は、ネットワークの各装置からの通過フロー情報とトラフィック量とを受信し、受信した通過フロー情報とトラフィック量とを流量情報解析部２２５へ出力する。
【００８１】
表示部２４３は、表示用情報生成部２３０で生成された三次元表示画面を表示装置３１０へ出力する。
【００８２】
操作部２４４は、入力装置３２０経由で入力された時刻の情報を座標計算部２２９へ出力し、入力装置３２０経由で入力された視点の位置や方向に関する情報を視点決定部２３１へ出力する。
【００８３】
次に、座標計算部２２９を詳細に説明する。座標計算部２２９は、装置属性情報解析部２２１から装置属性情報（図１３参照）を取得し、装置接続関係解析部２２２から装置間接続情報（図１３参照）を取得し、設定保存部２１８から装置配置設定情報（図１３参照）を取得する。また、座標計算部２２９は、警報保存部２１３から各装置やリンクに紐づけられた警報に係る情報を取得する。また、座標計算部２２９は、操作部２４４から入力装置３２０経由で入力された時刻の情報を取得する。
【００８４】
そして、座標計算部２２９は、装置間接続情報を参照して、選択された時刻における装置および装置間のリンクを特定する。また、座標計算部２２９は、装置属性情報および装置配置設定情報を参照して、特定した装置および装置間のリンクの、三次元表示画面上のＸＹ軸の座標位置と、各装置の属する階梯に対応するＺ軸の座標位置とを決定する。さらに、座標計算部２２９は、装置属性情報を参照して、ある装置と現用系・待機系のペアとなる装置があるとき、三次元表示画面上に、このペアとなる装置群をペアとなる装置群であることを示す表示とともに配置する。例えば、図７Ａの表示画面例では、ペアとなる装置群付近にこれらの装置を囲む楕円１５４を配置する。さらに、座標計算部２２９は、三次元表示画面上での装置間の接続関係の交差や、各階層内での装置重なりを低減するよう配置位置を調整する。
【００８５】
また、座標計算部２２９は、警報保存部２１３の警報に係る情報を参照して、選択された表示時刻の警報があれば、その警報の座標位置を、三次元表示画面上の警報の対象となる装置およびリンクの近傍に配置する。そして、座標計算部２２９は、三次元表示画面上に、装置、リンクおよび警報を重畳して配置したデータ（座標データ）を表示用情報生成部２３０へ出力する。そして、表示用情報生成部２３０は、この座標データに基づき、三次元表示画面データを生成する。
【００８６】
＜処理フロー＞
次に、監視装置２００の処理フローについて、図１４を用いて説明する（適宜、図１１、図１２、図１３参照）
【００８７】
ステップＳ１では、操作部２４４が入力装置３２０から時刻の入力を受け付けると、装置属性情報解析部２２１は、装置属性情報保存部２１１１から、この選択された時刻に対応する装置属性情報（図１３参照）を取得する。これにより、各装置の属性（階梯）と、各装置のｘｙ軸の座標位置とが分かる。
【００８８】
ステップＳ２では、装置接続関係解析部２２２は、装置接続関係保存部２１１２から、選択された時刻に対応する装置間接続情報（図１３参照）を取得する。これにより、ネットワーク全体の装置間接続構造が分かる。
【００８９】
ステップＳ３では、座標計算部２２９は、設定保存部２１８から、選択された時刻に対応する装置配置設定情報（図１３参照）を取得する。これにより、各装置の属する階梯に対応するＺ軸の座標が分かる。
【００９０】
ステップＳ４では、座標計算部２２９は、Ｓ１で取得した装置属性情報、Ｓ２で取得した装置間接続構造およびＳ３で取得した装置配置設定情報を参照して、装置および装置間のリンクの、三次元表示画面上のＸＹ軸の座標位置と、各装置の属する階梯に対応するＺ軸の座標位置とを決定する。このとき、座標計算部２２９は、装置属性情報を参照して、ある装置と現用系・待機系のペアとなる装置がある場合、ペアとなる装置群を囲む表示（楕円１５４等）を三次元表示画面上に配置する。さらに、複数階梯にまたがる装置群が設置される箇所に、ビル等の目印を配置する場合には、座標計算部２２９は、装置配置設定情報に含まれる重要ビル情報を参照して、三次元表示画面上に重要ビル１５５（立方体）等の目印を配置する。
【００９１】
ステップＳ５では、座標計算部２２９は、三次元表示画面上での装置間の接続関係の交差や、各階層内での装置の重なりを低減するよう各装置およびリンクの座標位置を調整する。
【００９２】
ステップＳ６では、警報解析部２２４は、警報受信部２４１が既に受信している警報を取得する。そして、警報解析部２２４は、装置属性情報解析部２２１から装置属性情報（図１３参照）を取得し、警報の対象となる装置およびリンクを特定する。次に、警報解析部２２４は、この警報の対象となるリンクおよび装置と、警報発生時刻とを紐づけた警報に係る情報を作成し、警報保存部２１３に出力する。これにより、警報保存部２１３に最新の警報に係る情報が保存される。
【００９３】
ステップＳ７では、座標計算部２２９は、警報保存部２１３に保存された警報に係る情報（図１０に示す装置警報情報）から、Ｓ１で選択された時刻における警報に含まれる装置の情報（例えば、装置名）を取得し、Ｓ５で調整した各装置およびリンクの座標位置とを参照して、三次元表示画面上での警報の座標位置を決定する。
【００９４】
ステップＳ８では、重要度解析部２２６は、演算エリア（ｘ，ｙ）に紐付けられた警報情報を用いて、障害重要度を演算する。そして、重要度解析部２２６は、その演算結果である障害重要度を重要度保存部２１５の演算エリア重要度情報（図１１参照）に記憶する。
【００９５】
ステップＳ９では、優先度解析部２２７は、重要度保存部２１５から取得した障害重要度（図１１参照）を用いて、優先度を演算する。そして、優先度解析部２２７は、その演算結果である優先度を優先度保存部２１６の障害確認順序情報（図１１参照）に記憶する。
【００９６】
ステップＳ１０では、確認順序解析部２２８は、優先度保存部２１６から取得した優先度に基づいて、演算エリア９２の障害確認順序を決定する。そして、確認順序解析部２２８は、決定した障害確認順序を確認順序保存部２１７に記憶する。
【００９７】
ステップＳ１１では、座標計算部２２９は、Ｓ７で決定された警報の座標位置とＳ５で調整された各装置およびリンクの座標位置を参照して、三次元表示画面上に、ネットワークの装置、リンクおよび警報を重畳して配置した配置データを生成する。そして、座標計算部２２９は、Ｓ１０で生成された障害確認順序と前記生成した配置データとを関連付けて、その関連付けた結果を表示用情報生成部２３０へ出力する。
【００９８】
ステップＳ１２では、表示用情報生成部２３０は、Ｓ１１で障害確認順序を関連付けた配置データを取得し、視点決定部２３１からカメラの座標位置および方向を取得して、表示すべき座標、色等を調整して三次元表示画像（表示用データ）を生成し、その生成した三次元表示画像を表示装置３１０へ出力する。具体的には、視点決定部２３１は、操作部２４４経由で視点の選択入力を受け付けると、この視点に対応する三次元表示画面のカメラ座標位置および方向を決定する。そして、視点決定部２３１は、表示用情報生成部２３０へ、カメラの座標位置および方向を出力する。表示用情報生成部２３０は、視点決定部２３１から取得したカメラ座標位置および方向と、Ｓ１１で障害確認順序に関連付けた配置データに基づいて、入力装置３２０によって選択された視点から見た三次元表示画面を生成する。その三次元表示画面には、装置、リンクおよび警報が重畳して配置されている。そして、表示用情報生成部２３０は、生成した三次元表示画面を、表示部２４３を経由して、表示装置３１０に出力する。
【００９９】
なお、視点決定部２３１は、確認順序保存部２１７から障害確認順序を取得し、その障害確認順序に基づいて、自動で視点（カメラの座標位置および向き）を各障害箇所に移動するように決定する機能（以降、カメラ視点自動変更機能と称する。）を有していてもよい。また、視点決定部２３１は、障害重要度の注意を喚起する表示を生成する機能（以降、注意喚起機能と称する。）を有していてもよい。
【０１００】
また、座標計算部２２９は、ステップＳ１１において、障害重要度、優先度、障害確認順序のいずれかまたは組み合わせと前記生成した配置データとを関連付けて、その関連付けた結果を表示用情報生成部２３０へ出力してもよい。そして、表示用情報生成部２３０は、ステップＳ１２において、Ｓ１１で障害重要度、優先度、障害確認順序のいずれかまたは組み合わせを関連付けた配置データを取得し、視点決定部２３１からカメラの座標位置および方向を取得して、表示すべき座標、色等を調整して三次元表示画像（表示用データ）を生成し、その生成した三次元表示画像を表示装置３１０へ出力するようにしてもよい。
【０１０１】
ここで、カメラ視点自動変更機能および注意喚起機能の詳細について説明する。
【０１０２】
＜カメラ視点自動変更機能＞
カメラ視点自動変更機能は、図１５Ａ、図１５Ｂ、図１５Ｃに示す３つのモードで表示画面を表示する。３つのモードの中の第１のモードは、図１５Ａに示すように地図全体を俯瞰したように表示する俯瞰表示モードである。第２のモードは、警報群に接近して拡大（強調）表示する接近モードであり、図１５Ｂでは重要警報等が集中しているエリア（１５０１）を拡大表示している。第３のモードは、警報群の中心を周回しながら表示する巡回モードであり、図１５Ｃでは、図１５Ｂに示した画像（１５０１）を、時計回りに９０度回転した画像（１５０２）、さらに９０度回転した画像（１５０３）、さらに９０度回転した画像（１５０４）を表示することができる。
【０１０３】
カメラ視点自動変更機能は、まず第２のモードによって障害重要度が最も大きい演算エリア９２の中心地に視点を動かして拡大し、次に第１のモードによって一旦全体を俯瞰表示に戻した後、障害確認順序の値が次に大きい演算エリア９２に視点を動かして拡大するといった処理を繰り返すようにしてもよい。また、第３のモードでは、演算エリア９２の中心座標を中心として、カメラを周回させるようにしてもよい。
【０１０４】
なお、視点決定部２３１は、図１０に示す設定情報の画面遷移時間情報から画面遷移時間を取得して、その取得した画面遷移時間以内で、第２のモードの拡大表示を実行したり、第１のモードの俯瞰表示を実行したりするようにしてもよい。
【０１０５】
＜注意喚起機能＞
閲覧者に障害の状況を認識させる方法として、図１６に例示するように、障害重要度ごとに波紋１１０１の大きさを変えて表示するようにしてもよい。
視点決定部２３１は、注意喚起機能を実行する場合、まず障害重要度が最も大きい演算エリア９２の中心の中心座標から障害重要度の大きさに比例するように波紋の数を表示し、その後一旦波紋を消去し、次に、障害確認順序の値が２番目に大きい演算エリア９２の中心から波紋を表示して消去するといった処理を繰り返すようにしてもよい。
【０１０６】
以上、本実施形態における監視装置２００は、障害重要度を演算し、障害確認順序を決定する機能を有する。そのため、監視装置２００は、障害確認順序に従って、複数階梯によって構成される装置、現用系・待機系のペアとなる装置群、警報情報等が表示された三次元表示画面を表示装置３１０に表示することができる。このような表示画面によれば、ネットワークの障害の発生ポイントや、原因箇所や、階梯や、り障範囲等を画面の閲覧者が把握しやすくなるとともに、閲覧者が障害の発生地点やサービスへの影響等を把握しやすくする。
【０１０７】
なお、本実施形態では、表示画面を縦横のグリッド９１で分割するように説明したが、グリッド９１で分割するのではなく、警報の発生地点に対してクラスタ分析を行って、警報の部分集合を生成するようにして、演算エリア９２を決定しても構わない。
【符号の説明】
【０１０８】
１０１，１０２，１０３  下位サービス装置（末端の装置）
１２１，１２２  転送装置
１４１  制御装置
１６１  上位サービス装置（サーバ装置）
２００  監視装置
２１０  記憶部
２１１  装置情報保存部
２１２  地理的情報保存部
２１３  警報保存部
２１４  流量情報保存部
２１５  重要度保存部
２１６  優先度保存部
２１７  確認順序保存部
２１８  設定保存部
２２０  処理部
２２１  装置属性情報解析部
２２２  装置接続関係解析部
２２３  地理的情報解析部
２２４  警報解析部
２２５  流量情報解析部
２２６  重要度解析部
２２７  優先度解析部
２２８  確認順序解析部
２２９  座標計算部
２３０  表示用情報生成部
２３１  視点決定部
２４０  入出力部
２４１  警報受信部
２４２  流量情報受信部
２４３  表示部
２４４  操作部
３１０  表示装置
３２０  入力装置
２１１１  装置属性情報保存部
２１１２  装置接続関係保存部
【図１】
0005843903.tif 000002
【図２】
0005843903.tif 000003
【図３】
0005843903.tif 000004
【図４Ａ】
0005843903.tif 000005
【図４Ｂ】
0005843903.tif 000006
【図５Ａ】
0005843903.tif 000007
【図５Ｂ】
0005843903.tif 000008
【図６】
0005843903.tif 000009
【図７Ａ】
0005843903.tif 000010
【図７Ｂ】
0005843903.tif 000011
【図７Ｃ】
0005843903.tif 000012
【図８Ａ】
0005843903.tif 000013
【図８Ｂ】
0005843903.tif 000014
【図９】
0005843903.tif 000015
【図１０】
0005843903.tif 000016
【図１１】
0005843903.tif 000017
【図１２】
0005843903.tif 000018
【図１３】
0005843903.tif 000019
【図１４】
0005843903.tif 000020
【図１５Ａ】
0005843903.tif 000021
【図１５Ｂ】
0005843903.tif 000022
【図１５Ｃ】
0005843903.tif 000023
【図１６】
0005843903.tif 000024